【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
プリンタ装置で画像データを印刷するための印刷条件を設定する印刷設定装置であって、
前記プリンタ装置の電源情報を取得する取得手段と、
前記電源情報により前記プリンタ装置がバッテリで駆動されている場合に、前記バッテリの充電残量に応じて、前記プリンタ装置で印刷する際の印刷条件を制限するように制御する制御手段と、
を有することを特徴とする印刷設定装置。
【請求項２】
前記印刷条件は印刷枚数、印刷画質、印刷サイズのうち少なくともいずれか１つを含むことを特徴とする請求項１に記載の印刷設定装置。
【請求項３】
前記印刷条件を設定するための印刷設定画面を表示する表示手段を有し、
前記表示手段は、前記制御手段により制限されて設定できなくなる印刷条件の事項或または数値をグレーアウト表示することを特徴とする請求項１に記載の印刷設定装置。
【請求項４】
前記制御手段は、前記プリンタ装置で印刷中に前記バッテリの充電残量が減少し、設定された印刷条件で印刷できなくなった場合にエラー表示を行うことを特徴とする請求項１に記載の印刷設定装置。
【請求項５】
前記取得手段は、前記プリンタ装置で１枚のプリントが完了するごとに前記電源情報を取得することを特徴とする請求項１に記載の印刷設定装置。
【請求項６】
前記印刷条件を設定するための設定手段を更に有し、
前記プリンタ装置で印刷中に前記バッテリの充電残量が減少し、設定された印刷条件で印刷できなくなった場合には、前記設定手段は印刷条件を再設定可能であることを特徴とする請求項１に記載の印刷設定装置。
【請求項７】
プリンタ装置に画像データを供給して印刷させる画像供給装置であって、
前記プリンタ装置の電源情報を取得する取得手段と、
前記電源情報により前記プリンタ装置がバッテリで駆動されている場合に、前記バッテリの充電残量に応じて、前記プリンタ装置以外の他のプリンタ装置を使用して印刷するように制御する制御手段と、
を有することを特徴とする画像供給装置。
【請求項８】
前記制御手段は、ユーザの指示により他のプリンタ装置を使用して印刷するように制御することを特徴とする請求項７に記載の画像供給装置。
【請求項９】
前記制御手段は、自動的に他のプリンタ装置を使用して印刷するように制御することを特徴とする請求項７に記載の画像供給装置。
【請求項１０】
予め切り換え先のプリンタ装置を指示する指示手段を更に有し、前記制御手段は前記指示手段により指示された前記切り換え先のプリンタ装置を使用して印刷するように制御することを特徴とする請求項７に記載の画像供給装置。
【請求項１１】
前記バッテリの充電残量が予め設定された量以下であるときに、ユーザにその旨を報知する報知手段を更に有することを特徴とする請求項７に記載の画像供給装置。
【請求項１２】
プリンタ装置で画像データを印刷するための印刷条件を設定するための印刷設定装置の制御方法であって、
前記プリンタ装置の電源情報を取得する取得工程と、
前記電源情報により前記プリンタ装置がバッテリで駆動されている場合に、前記バッテリの充電残量に応じて、前記プリンタ装置で印刷する際の印刷条件を制限するように制御する制御工程と、
を有することを特徴とする制御方法。
【請求項１３】
前記印刷条件は印刷枚数、印刷画質、印刷サイズのうち少なくともいずれか１つを含むことを特徴とする請求項１２に記載の制御方法。
【請求項１４】
印刷条件を設定するための印刷設定画面を表示する表示工程を更に有し、
前記表示工程は、前記制御工程で制限されて設定できなくなる印刷条件の事項或または数値をグレーアウト表示することを特徴とする請求項１２に記載の制御方法。
【請求項１５】
前記制御工程は、前記プリンタ装置で印刷中に前記バッテリの充電残量が減少し、設定された印刷条件で印刷できなくなった場合には、エラー表示を行うことを特徴とする請求項１２に記載の制御方法。
【請求項１６】
前記取得工程は、前記プリンタ装置で１枚のプリントが完了するごとに前記電源情報を取得することを特徴とする請求項１２に記載の制御方法。
【請求項１７】
前記印刷条件を設定するための設定工程を更に有し、
前記プリンタ装置で印刷中に前記バッテリの充電残量が減少し、設定された印刷条件で印刷できなくなった場合には、前記設定工程は印刷条件を再設定可能であることを特徴とする請求項１２に記載の制御方法。
【請求項１８】
プリンタ装置に画像データを供給して印刷させる画像供給装置の制御方法であって、
前記プリンタ装置の電源情報を取得する取得工程と、
前記電源情報により前記プリンタ装置がバッテリで駆動されている場合に、前記バッテリの充電残量に応じて、前記プリンタ装置以外の他のプリンタ装置を使用して印刷するように制御する制御工程と、
を有することを特徴とする制御方法。
【請求項１９】
前記制御工程は、ユーザの指示により他のプリンタ装置を使用して印刷するように制御することを特徴とする請求項１８に記載の制御方法。
【請求項２０】
前記制御工程では、自動的に他のプリンタ装置を使用して印刷するように制御することを特徴とする請求項１８に記載の制御方法。
【請求項２１】
予め切り換え先のプリンタ装置を指示する指示工程を更に有し、前記制御工程では、前記指示工程で指示された前記切り換え先のプリンタ装置を使用して印刷するように制御することを特徴とする請求項１８に記載の制御方法。
【請求項２２】
前記バッテリの充電残量が予め設定された量以下であるときに、ユーザにその旨を報知する報知工程を更に有することを特徴とする請求項１８に記載の制御方法。
【手続補正２】
【補正対象書類名】明細書
【補正対象項目名】発明の名称
【補正方法】変更
【補正の内容】
【発明の名称】画像供給装置と印刷設定装置及びその制御方法
【手続補正３】
【補正対象書類名】明細書
【補正対象項目名】０００１
【補正方法】変更
【補正の内容】
【０００１】
本発明は、プリンタ装置と無線或は有線で接続され、プリンタ装置に画像データを供給して印刷させる画像供給装置と印刷設定装置及びその制御方法に関するものである。
【手続補正４】
【補正対象書類名】明細書
【補正対象項目名】０００８
【補正方法】変更
【補正の内容】
【０００８】
上記のような課題を解決するために本願発明の印刷設定装置は以下のような構成を備える。即ち、
プリンタ装置で画像データを印刷するための印刷条件を設定する印刷設定装置であって、
前記プリンタ装置の電源情報を取得する取得手段と、
前記電源情報により前記プリンタ装置がバッテリで駆動されている場合に、前記バッテリの充電残量に応じて、前記プリンタ装置で印刷する際の印刷条件を制限するように制御する制御手段と、を有することを特徴とする。
【手続補正５】
【補正対象書類名】明細書
【補正対象項目名】０００９
【補正方法】変更
【補正の内容】
【０００９】
上記のような課題を解決するために本願発明の画像供給装置は以下のような構成を備える。即ち、
プリンタ装置に画像データを供給して印刷させる画像供給装置であって、
前記プリンタ装置の電源情報を取得する取得手段と、
前記電源情報により前記プリンタ装置がバッテリで駆動されている場合に、前記バッテリの充電残量に応じて、前記プリンタ装置以外の他のプリンタ装置を使用して印刷するように制御する制御手段とを有することを特徴とする。
【手続補正６】
【補正対象書類名】明細書
【補正対象項目名】００１０
【補正方法】変更
【補正の内容】
【００１０】
上記のような課題を解決するために本願発明の印刷設定装置の制御方法は以下のような工程を備える。即ち、
プリンタ装置で画像データを印刷するための印刷条件を設定するための印刷設定装置の制御方法であって、
前記プリンタ装置の電源情報を取得する取得工程と、
前記電源情報により前記プリンタ装置がバッテリで駆動されている場合に、前記バッテリの充電残量に応じて、前記プリンタ装置で印刷する際の印刷条件を制限するように制御する制御工程と、
を有することを特徴とする。
【手続補正７】
【補正対象書類名】明細書
【補正対象項目名】００１１
【補正方法】変更
【補正の内容】
【００１１】
上記のような課題を解決するために本願発明の画像供給装置の制御方法は以下のような工程を備える。即ち、
プリンタ装置に画像データを供給して印刷させる画像供給装置における制御方法であって、
前記プリンタ装置の電源情報を取得する取得工程と、
前記電源情報により前記プリンタ装置がバッテリで駆動されている場合に、前記バッテリの充電残量に応じて、前記プリンタ装置以外の他のプリンタ装置を使用して印刷するように制御する制御工程と、
を有することを特徴とする。